(57)【特許請求の範囲】
【請求項１】
被写体を撮影して映像信号を生成する映像撮影手段と、
前記映像撮影手段により生成された映像信号を記録媒体に記録する撮影映像記録手段と、
前記撮影映像記録手段により前記記録媒体に記録された映像信号を再生する撮影映像再生手段と、
前記映像撮影手段により生成された映像信号を確認するための表示、または前記撮影映像再生手段により再生された映像信号を映像表示装置に表示する映像表示手段と、
装置全体の動作を制御する制御手段とを備え、
前記制御手段は、前記映像表示装置が前記映像信号を確認可能な状態から確認不可能な状態に変更された後の一定期間に、前記映像撮影手段によって生成された映像信号を第２の映像信号として前記記録媒体に記録するように前記撮影映像記録手段を制御することを特徴とする映像撮像装置。
【請求項２】
前記制御手段は、前記映像表示装置が前記映像信号を確認可能な状態に復帰された際に、前記確認可能な状態から確認不可能な状態に変更されてから更に確認可能な状態に復帰するまでの一定期間において前記記録媒体に記録された第２の映像信号の内容を前記表示装置に警告表示して、使用者が意図しない記録が行なわれたことを使用者に報知することを特徴とする請求項１に記載の映像撮像装置。
【請求項３】
前記映像撮影手段により生成された映像信号、または前記撮影映像再生手段により再生された前記映像信号を確認するために、外部の映像確認機器へ映像信号を出力するための映像信号出力部を備えることを特徴とする請求項１に記載の映像撮像装置。
【請求項４】
前記制御手段は、前記映像撮影手段により生成された映像信号を前記映像信号出力部から外部の映像確認機器へ出力するのを停止した時点から記録を開始し、前記映像信号出力部から外部の映像確認機器へ前記映像信号が再び出力されて映像信号を確認可能な状態に復帰するまでの一定期間において、前記映像撮影手段により生成された映像信号を第２の映像信号として前記記録媒体に記録するように前記撮影映像記録手段を制御することを特徴とする請求項３に記載の映像撮像装置。
【請求項５】
前記制御手段は、前記一定期間に前記記録媒体に記録された記録情報を新規の記録情報として前記記録媒体に保存する第１の処理、前記一定期間に記録した記録情報を削除する第２の処理、前記一定期間に記録した記録情報を他の記録情報と合成し一つのファイルとして作成する第３の処理を前記表示装置に表示するように前記映像表示手段を制御することを特徴とする請求項１〜４の何れか１項に記載の映像撮像装置。
【請求項６】
前記表示装置に表示された第１の処理〜第３の処理の中から、何れか一つの処理を選択する処理選択手段を備えることを特徴とする請求項５に記載の映像撮像装置。
【請求項７】
前記制御手段は、前記処理選択手段により前記第３の処理が選択された場合に、前記一定期間に記録した記録情報を前記一定期間に記録した一つ前の記録情報と合成して一つのファイルとして作成するとともに、前記一つのファイルとして合成する前の一定期間に記録した記録情報は別の記録情報として保存するように前記撮影映像記録手段を制御することを特徴とする請求項６に記載の映像撮像装置。
【請求項８】
前記制御手段は、前記映像表示装置が前記映像信号を確認可能な状態に復帰した場合、または外部の映像確認機器へ映像信号を再び出力した場合には、前記映像撮影手段によって生成された映像信号を第２の映像信号として前記記録媒体に記録するのを停止するとともに、記録開始位置を前記第２の映像信号の記録を開始した位置とし、前記一定期間に記録した記録情報を上書きしながら以降の映像信号を記録するように前記撮影映像記録手段を制御することを特徴とする請求項３〜７の何れか１項に記載の映像撮像装置。
【請求項９】
前記制御手段は、前記映像表示装置が前記映像信号を確認可能な状態に復帰した場合、または外部の映像確認機器へ映像信号を再び出力した場合には、前記一定期間に記録した記録情報を保存し、以降の映像信号を別ファイルとして記録するように前記撮影映像記録手段を制御することを特徴とする請求項３〜７の何れか１項に記載の映像撮像装置。
【請求項１０】
前記一定期間に記録した記録時間を記録する記録媒体を備えることを特徴とする請求項１〜９の何れか１項に記載の映像撮像装置。
【請求項１１】
前記映像表示装置の使用状態を検知する検知手段を備えることを特徴とする請求項１〜１０の何れか１項に記載の映像撮像装置。
【発明の詳細な説明】
【技術分野】
【０００１】
本発明は映像撮像装置及び映像撮像方法に関し、特に、意図しない映像を記録した場合の記録データを処理するために用いて好適な技術に関する。
【背景技術】
【０００２】
従来、映像撮像装置はＬＣＤパネルやカラービューファインダ(以下、ＣＶＦ)などの表示装置を備えており、撮影時にはどちらか一方の表示装置を使用して撮影情況を確認しながら撮影を行う手法が一般的に行なわれている。しかし、多くの場合は大きくて見やすいＬＣＤパネルを使用して撮影する使用者が多く、近年では使用頻度の低いＣＶＦの機能を持ち合わせない映像撮像装置が市販されている。
【０００３】
この場合、ＬＣＤパネルを閉じてしまうと、屋外で撮影している場合はどのような映像を記録しているかの判断ができなくなってしまう。また、映像撮像装置によってはＬＣＤパネルを閉じると電源を切る処理を行なうものもあるが、定点カメラとして使用する場合は始めに焦点位置を合わせると節電のためにＬＣＤパネルを閉じて撮影することもある。このため、単純にＬＣＤパネルを閉じると電源を切る処理を行なうようにしただけでは、種々の用途に対応可能とすることができない問題点があった。
【０００４】
一方、記録時にＬＣＤパネルを閉じてしまい、更に記録処理が止まっていると撮影者が思い込んでいる場合には、意味のない映像を記録してしまうことがある。これは、一般的に地面撮りと言われている。このような地面撮りを防止するために、例えば、特許文献１や特許文献２に記載されているような撮影装置が提案されている。
【０００５】
特許文献１に記載の動画像を撮影可能な撮影装置では、地面撮り回路により地面撮りを検出して、制御回路により電子ビューファインダにこの旨を警告表示する。そして、撮影開始ボタン（ＲＥＣ）を撮影者が操作しない場合に撮影を一時停止することによって、地面撮りによる誤記録を防止するようにしている。
【０００６】
しかし、前記特許文献１に記載の技術では、地面撮りを検出しても、撮影を一時停止するだけであるので、地面撮りの検出を撮影後の編集に役立てることができない、という問題があった。そこで、このような問題点を解消するために、特許文献２においては、地面撮り等の異常を検出した場合に、撮影後の編集に役立てることができる撮影装置を提案している。
【０００７】
【特許文献１】特開平８−２７５０３３号公報
【特許文献２】特開２００４−１５９０８３号公報
【発明の開示】
【発明が解決しようとする課題】
【０００８】
しかしながら、従来の撮影装置の場合には、撮影者が意図しない情況で映像記録を開始してしまったり、映像記録を継続してしまったりした場合に、そのような記録が行われたことを撮影者へ警告することができない問題点があった。
【０００９】
また、撮影者が意図しない記録が行われた場合に、記録した映像データをどのように処理するのかを撮影者が自由に選択できない問題点があった。
本発明は前述の問題点に鑑み、撮影者が意図しない情況で映像記録が行なわれたことを撮影者へ確実に警告できるようにするとともに、意図しない情況で記録した映像データをどのように処理するのかを撮影者が自由に選択できるようにすることを目的としている。
【課題を解決するための手段】
【００１０】
本発明の映像撮像装置は、被写体を撮影して映像信号を生成する映像撮影手段と、前記映像撮影手段により生成された映像信号を記録媒体に記録する撮影映像記録手段と、前記撮影映像記録手段により前記記録媒体に記録された映像信号を再生する撮影映像再生手段と、前記映像撮影手段により生成された映像信号を確認するための表示、または前記撮影映像再生手段により再生された映像信号を映像表示装置に表示する映像表示手段と、装置全体の動作を制御する制御手段とを備え、前記制御手段は、前記映像表示装置が前記映像信号を確認可能な状態から確認不可能な状態に変更された後の一定期間に、前記映像撮影手段によって生成された映像信号を第２の映像信号として前記記録媒体に記録するように前記撮影映像記録手段を制御することを特徴とする。
【発明の効果】
【００１３】
本発明によれば、撮影者が意図しない情況で映像記録が行なわれたことを撮影者へ確実に警告することができる。また、撮影者が意図しない映像の記録が行われてしまった場合に、記録したデータを簡単な操作で所望する処理を行なうことが可能となる。
【発明を実施するための最良の形態】
【００１４】
（第１の実施形態）
以下、図１及び図２を参照しながら本発明の第１の実施形態を説明する。
本実施形態の映像撮像装置は、一般に、デジタルビデオカメラと呼ばれている装置であり、被写体を撮影して映像信号を生成する映像撮影手段を有し、図１に示すように構成されている。
【００１５】
すなわち、レンズ１から取込まれた光学像をセンサ部２において電気信号に変換する。そして、センサ部２において変換された電気信号をカメラ処理部３及びビデオ信号処理部５で種々の信号処理を施して映像信号を生成する。そして、このようにして生成された映像信号をＬＣＤパネルよりなる表示部（以下、ＬＣＤパネルとする）６に表示する。また、生成した映像信号を記録媒体(例えばテープ、ＤＶＤ、ハードディスク等)７に記録して保存する。映像信号をＬＣＤパネル６に表示したり、記録媒体７に記録したり、或いは記録媒体７に記録されている映像信号を再生したりする制御は、制御部４により行われる。すなわち、本実施形態においては、制御部４は撮影映像記録手段、映像表示手段、撮影映像再生手段、装置全体の制御手段として機能する。
【００１６】
本実施形態のデジタルビデオカメラは、デジタルビデオカメラ本体に付属しているボタン類が押されたりすることによって制御部４にKEY入力信号が入力されると、制御部４がデジタルビデオカメラの全体動作を制御する。そして、KEY入力信号に対応する処理が開始される。例えば、ZOOM操作・メニュ操作・記録開始・記録停止等がその代表例である。映像信号出力部８は、外部の映像確認機器へ映像信号を出力する回路機構である。開閉検知部９は、ＬＣＤパネル６の開閉を検知する機構である。
【００１７】
次に、図２のフローチャートを参照しながら本実施形態のデジタルビデオカメラで行われる処理手順の一例を説明する。以下の説明で使用するビデオカメラはＬＣＤパネル６を備え、カラービューファインダを持たないビデオカメラの例である。
【００１８】
記録モードにおいて動作が開始されると、最初はステップＳ１０１の記録一時停止の状態となる。記録一時停止状態から記録開始・停止スイッチ（以下、ＳＷ）が押下されるとステップＳ１０２に進んで記録をスタートする(Ｄ１データ記録（第１の映像信号の記録）)。
【００１９】
その後、ステップＳ１０３において、記録開始・停止ＳＷが押されたか判断する。この判断の結果、記録開始・停止ＳＷが押された場合はステップＳ１０１に戻って通常の記録一時停止状態となる。
【００２０】
また、ステップＳ１０３の判断の結果、記録開始・停止ＳＷが押されていない場合はステップＳ１０４に進み、ＬＣＤパネル６が閉じられたか否かを開閉検知部９から出力される開閉検知信号を用いて判断する。
【００２１】
ステップＳ１０４の判断の結果、ＬＣＤパネル６が閉じていない場合はステップＳ１０１に戻って通常の記録一時停止状態となる。また、ＬＣＤパネル６が閉じたれた場合は通常の使用状態から変更されたと判断してステップＳ１０５に進む。そして、ＬＣＤパネル６が閉じられた後で記録するデータを、ＬＣＤパネル６が閉じられる以前の記録データ(Ｄ１データ)とは別データ(Ｄ２データ（第２の記録情報（第２の映像信号））)として記録を継続して行なう。この時に、記録中に全ての映像確認手段が存在しないことを示すため、使用者へ促してもよい。
【００２２】
次に、ステップＳ１０６において、別データ(Ｄ２データ)に記録している状態でＬＣＤパネル６が再度開かれるか、記録開始・停止ＳＷが押されたかを判断する。この判断の結果、ＬＣＤパネル６が再度開かれるか、記録開始・停止ＳＷが押されていない場合にはステップＳ１０５に戻って別データ(Ｄ２データ)の記録を続行する。
【００２３】
また、ステップＳ１０６の判断の結果、パネルが再度開かれた場合は通常の使用状態に復帰したと判断してステップＳ１０７に進む。そして、記録を続けながらＬＣＤパネル６が閉じていた状態で記録された別データ(Ｄ２データ)の記録状態を表示して、使用者へ警告する。この警告表示の内容例としては、例えば一定期間において行なわれた映像信号の記録開始時間と記録時間とを記録媒体に記録しておく。そして、この記録媒体に記録しておいた記録開始時間と記録時間とをＬＣＤパネル６に表示する。
【００２４】
次に、ステップＳ１０８において、ＬＣＤパネル６が閉じられている間に記録された別データ(Ｄ２データ)の処理方法を使用者に選択させるようにする、処理選択の機会を提供する。本実施形態においては、別データ(Ｄ２データ)の処理として、第１の処理〜第３の処理の中から使用者が自由に選択できるようにしている。
【００２５】
第１の処理が選択されるとステップＳ１０９に進み、ＬＣＤパネル６が閉じられている間に記録された別データ(Ｄ２データ)を、新規の記録情報(Ｄ３データ（第３の映像信号）)として保存する処理を行なう。また、第２の処理が選択されると、ステップＳ１１０に進み、ＬＣＤパネル６が閉じられている間に記録された別データ(Ｄ２データ)を削除する処理を行なう。この場合、記録開始位置を前記第２の映像信号の記録を開始した位置とし、前記別データ(Ｄ２データ)を上書きしながら以降の映像信号を記録するようにして削除するようにしてもよい。
【００２６】
更に、第３の処理が選択されると、ステップＳ１１１に進み、ＬＣＤパネル６が閉じられている間に記録された別データ（Ｄ２データ）を、別データに分けた一つ前の記録データを合成する。そして、１つのファイルを生成し、別ファイルとして作成して保存する処理を行なう。
【００２７】
以上の処理を行なうことにより、誤って記録を続けてしまったことを撮影者に確実に報知させることができる。また、撮影者が意図しないで記録してしまった映像データをどのように処理するかを、撮影者が簡単に選択することができる。
【００２８】
なお、前述した処理において、外部映像確認装置(例えば、ＴＶ等)と接続して撮影を行っている場合は、ステップＳ１０４の判断においてＬＣＤパネルが閉じられてしまった場合でも、ステップＳ１０５以降の処理は行なわないようにしてもよい。
【００２９】
また、ステップＳ１０５とステップＳ１０６との間で、同様に外部映像確認装置を接続した場合は、ステップＳ１０６の判断において、ＬＣＤパネル６が開かれた場合と同じ判断として以降の処理を続けるようにしてもよいとする。
【００３０】
次に、図３のフローチャートを参照しながら、本発明の第２の実施形態を説明する。
なお、本実施形態において、ステップＳ１０１〜ステップＳ１０５までの処理手順は、前述した第１の実施形態と同様のため、図２に付したステップ番号と同じステップ番号を付して詳細な説明を省略する。
【００３１】
本実施形態においては、ステップＳ１０５において、別データ(Ｄ２データ)を記録媒体７に記録したらステップＳ２０１において、外部の映像確認機器へ信号を出力するケーブルが接続されたか否かを検出する処理を行なう。
【００３２】
ステップＳ２０１の検出処理の結果、外部の映像確認機器へ信号を出力するケーブルが接続されたことが検出されなかった場合にはステップＳ１０５に戻って別データ(Ｄ２データ)を記録媒体７に記録する処理を続行する。
【００３３】
一方、ステップＳ２０１の検出処理の結果、外部の映像確認機器へ信号を出力するケーブルが接続されたことが検出された場合にはステップＳ２０２に進む。ステップＳ２０２にては、ＬＣＤパネル６が閉じられて以降に記録していたデータ(Ｄ２データ)を保存して、別データ(Ｄ４データ)で記録を再開する。
【００３４】
次に、ステップＳ２０３において、記録開始・停止ＳＷが押されたか否かを判定する。この判定の結果、記録開始・停止ＳＷが押されていない場合にはステップＳ２０２に戻って前述処理を続行する。
【００３５】
また、ステップＳ２０３の判定の結果、記録開始・停止ＳＷが押された場合にはステップＳ２０４に進み、記録を停止して記録データ(Ｄ４データ)を記録媒体７に保存する。その後にステップＳ２０５に進み、ＬＣＤパネル６が閉じられた後に記録した記録データ(Ｄ２データ)の処理を使用者へ確認する。
【００３６】
本実施形態においては、前述のような処理を行なうようにしたので、ＬＣＤパネル６が閉じられた後に記録を行っていないと思った使用者に対しては、外部の映像確認機器へ信号を出力した時点で映像データの記録を再開する。そして、その記録が終了した時に先のデータの処理方法を確認させるようにしてもよい。このようにした方が記録操作にスムーズに移行することができる。
【００３７】
（本発明に係る他の実施の形態）
前述した本発明の実施の形態における映像撮像装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３８】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００３９】
なお、本発明は、前述した映像撮像方法における各工程を実行するソフトウェアのプログラム（実施の形態では図２、図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４１】
その場合、プログラムの機能を有していれば、オブジェクトコード、インタプリタにより実行されるプログラム、ＯＳに供給するスクリプトデータ等の形態であってもよい。
【００４２】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数の使用者に対してダウンロードさせるＷＷＷサーバも、本発明に含まれるものである。
【００４５】
また、本発明のプログラムを暗号化してＣＤ−ＲＯＭ等の記憶媒体に格納して使用者に配布し、所定の条件をクリアした使用者に対し、インターネットを介してホームページから暗号化を解く鍵情報をダウンロードさせる。そして、その鍵情報を使用することにより暗号化されたプログラムを実行してコンピュータにインストールさせて実現することも可能である。
【００４６】
また、コンピュータが、読み出したプログラムを実行することによって、前述した実施の形態の機能が実現される他、コンピュータ上で稼動しているＯＳなどが、実際の処理の一部または全部を行なうことによっても前述した実施の形態の機能が実現され得る。
【００４７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００４８】
【図１】本発明の実施形態を示し、映像撮像装置の概略構成を説明するブロック図である。
【図２】本発明の実施形態を示し、映像撮像方法の第１の処理手順を説明するフローチャートである。
【図３】本発明の実施形態を示し、映像撮像方法の第２の処理手順を説明するフローチャートである。
【符号の説明】
【００４９】
１  レンズ
２  センサ部２
３  カメラ処理部
４  制御部
５  ビデオ信号処理部
６  表示部（ＬＣＤパネル）
７  記録媒体
８  映像信号出力部
９  開閉検知部
【図１】
0004836273.tif 000002
【図２】
0004836273.tif 000003
【図３】
0004836273.tif 000004